(57)【要約】【課題】  無駄なエネルギー消費を抑え、長期的に安定運転ができる横型乾式粉砕機を提供することを目的とする。【解決手段】  本発明の横型乾式粉砕機は、粉砕室内であって、前記攪拌部材の外側に、該攪拌部材による遠心力により内側から外側に向って移動する粉砕メディアを、外側から内側に向けるデフレクタを配したことを特徴とする。【選択図】図１
2015112549.tif 000002
【特許請求の範囲】
【請求項１】
円筒状の粉砕室およびこの粉砕室に同心状で連続し、該粉砕室に原料を供給するための円筒状の原料供給部を有する粉砕タンクと、この粉砕タンクの一端に設けられた原料投入部と、前記粉砕タンクの他端に設けられたメディアセパレータを介した原料排出部と、前記粉砕室内に入れられた粉砕メディアと、前記粉砕タンクの原料供給部および前記粉砕室内に延びる水平回転駆動軸と、前記原料供給部内に配置され、前記水平回転駆動軸に取り付けられ、該水平回転駆動軸により回転駆動されて、前記原料投入部から前記原料供給部に投入された原料を前記粉砕室に供給する原料供給部材と、前記粉砕室内に配置され、前記水平回転駆動軸に取り付けられ、該水平回転駆動軸により回転駆動されて、前記原料供給部から供給された原料を、前記原料供給部から原料排出部に向けて連続的に搬送しつつ攪拌粉砕する攪拌部材とを備える横型乾式粉砕機において、
前記粉砕室内であって、前記攪拌部材の外側に、該攪拌部材による遠心力により内側から外側に向って移動する粉砕メディアを、外側から内側に向けるデフレクタを配した
ことを特徴とする横型乾式粉砕機。
【請求項２】
前記デフレクタは、長さ方向に延び、回転方向に間隔を置いて配置された複数の開口が設けられ、これによって複数の板状部が形成された断面が多角形状または円形のデフレクタ支持部材と、該デフレクタ支持部材の外面に固定され、半径方向外方に立ち上がった複数のデフレクタ板とを備えている請求項１に記載の横型乾式粉砕機。
【請求項３】
前記デフレクタ板は、前記デフレクタ支持部材の回転軸を含む面上に延びている請求項２に記載の横型乾式粉砕機。
【請求項４】
前記デフレクタ板は、前記デフレクタ支持部材の回転軸を含む面から傾斜して直線状に延びている請求項２に記載の横型乾式粉砕機。
【請求項５】
前記デフレクタ板は、前記デフレクタ支持部材の中心軸に対して斜めに直線状に延びている請求項２に記載の横型乾式粉砕機。
【請求項６】
前記デフレクタ板は、前記デフレクタ支持部材の周りに螺旋状に延びている請求項２に記載の横型乾式粉砕機。
【請求項７】
前記デフレクタは、デフレクタ回転駆動軸により、前記攪拌部材と別駆動で、該攪拌部材と差動状態で回転駆動させられるようになっている請求項１〜６のいずれかに記載の横型乾式粉砕機。
【請求項８】
前記デフレクタの周速が、前記攪拌部材の周速より小さい請求項１〜７のいずれかに記載の横型乾式粉砕機。
【請求項９】
前記デフレクタの回転方向が、前記攪拌部材の回転方向の逆である請求項１〜８のいずれかに記載の横型乾式粉砕機。
【請求項１０】
前記デフレクタ板の外縁分は、前記粉砕タンクの内周面に対して微小な間隔で配置され、前記粉砕タンクの内周面に付着したか、付着しようとする微細砕料を掻き出すための掻き出し部材として作用するようになっている請求項２〜６のいずれかに記載の横型乾式粉砕機。
【請求項１１】
前記微小な間隔が、０．２〜０．７ｍｍである請求項１０に記載の横型乾式粉砕機。
【請求項１２】
前記粉砕タンクの原料排出部に設けられた固定環状ディスクと、この固定環状ディスクの内側に、その外周部が前記固定環状ディスクの内周部と微小な間隔で配置され、前記デフレクタ回転駆動軸により回転駆動させられるようになっている回転ディスクとを備えたメディアセパレータを備えた請求項６または７に記載の横型乾式粉砕機。
【請求項１３】
前記微小な間隔が、用いる粉砕メディアの径の１／６〜１／２．５である請求項１０に記載の横型乾式粉砕機。
【請求項１４】
前記粉砕タンクの外周側には、該粉砕タンクと間隔をおいてジャケットが設けられており、このジャケット内を、粉砕タンク、粉砕室を冷却する冷却水か加熱する加熱水が流通するようになっている請求項１〜１３のいずれかに記載の横型乾式粉砕機。
【発明の詳細な説明】
【技術分野】
【０００１】
本発明は、横型乾式粉砕機に関する。本発明の横型乾式粉砕機は、アルミナ、ジルコニア、チッカアルミ、ＰＺＴ、チタン酸バリューム、その他セラミック、窒化珪素、炭化珪素、誘電材、磁性材、酸化鉄、フェライト、シリカ、電池材、カーボン、酸化マグネシューム、炭酸カルシューム、無機顔料、有機顔料、その他の乾式粉砕物等の原料を微細粒子に粉砕するための使用に特に適しているが、これに限定されるものではない。
【背景技術】
【０００２】
従来、横型乾式粉砕機としては、特許４８５９５３４号公報に記載されたものが知られている。この公報に記載された横型乾式粉砕機は、粉砕室を有する筒状の粉砕タンク、この粉砕タンクの一端に設けられた原料投入部、前記粉砕タンクの他端に設けられたメディア分離部、前記粉砕室内に入れられた粉砕メディア、および前記粉砕室内に設けられ、水平回転軸の周りに回転自在に配置された攪拌部材を備える横型乾式粉砕機において、前記攪拌部材が、前記粉砕タンクの一端側に向かって徐々に小さくなるテーパー面と垂直面を有する複数の円錐台状のディスクと複数のピンを交互に備えており、前記ディスクには、ディスクの厚さ方向に斜めに延びる連通孔が形成されており、この連通孔は、前記垂直面の比較的内周側に第１開口を有し、前記テーパー面に前記第１開口より外周側に配置された第２開口を有していることを特徴とする。
この横型乾式粉砕機においては、攪拌部材の攪拌要素の一部として、円錐台形の複数のディスク用い、このディスクに、ディスクの厚さ方向に斜めに延びる連通孔を形成し、この連通孔を、前記垂直面の比較的内周側に第１開口を有し、前記テーパー面に前記第１開口より外周側に配置された第２開口を有するよう構成したので、ディスクの下流側の原料と粉砕メディアの一部が上記連通孔を通ってディスクの上流側に還流する。この還流により、粉砕室内部での砕料の滞留時間が長くなり、十分な粉砕が行われる。また、特にこの還流により、粉砕メディアに大きな運動エネルギーが与えられ、粉砕メディア間の接触確率を増大させて、粉砕能力を大きくすることもできる。これらにより、本横型乾式粉砕機においては、砕料の微粉砕が可能となった。
【０００３】
このような横型乾式粉砕機においては、攪拌部材で撹拌された粉砕メディアビーズは運動力を付与されて周方向に回転する。このように粉砕メディアが周方向にながれると、粉砕メディア同士の接触確率が低くなり、砕料の粉砕効率が余り高くない。また、粉砕メディアは、粉砕タンク内壁と接触摩擦しながら運動する。このような粉砕メディアの粉砕タンク内壁との接触は無駄な動力消費になる。また、砕料が粉砕されて微粉になると付着性が強くなり、粉砕タンクの内壁に付着するために熱交換が阻害され、異常発熱や付着が増長され、閉塞が発生する。
【先行技術文献】
【特許文献】
【０００４】
【特許文献１】特許４８５９５３４号公報
【発明の概要】
【発明が解決しようとする課題】
【０００５】
そこで、本発明は、無駄なエネルギー消費を抑え、長期的に安定運転ができる横型乾式粉砕機を提供することを目的とする。
また、本発明は、粉砕されて微粉となった砕料の粉砕タンク内壁への付着を防止し、異常発熱や閉塞を防止することのできる横型乾式粉砕機を提供することを目的とする。
【課題を解決するための手段】
【０００６】
上記の目的は、下記（１）〜（１４）の構成の本発明の横型乾式粉砕機により達成される。
（１）
円筒状の粉砕室およびこの粉砕室に同心状で連続し、該粉砕室に原料を供給するための円筒状の原料供給部を有する粉砕タンクと、この粉砕タンクの一端に設けられた原料投入部と、前記粉砕タンクの他端に設けられたメディアセパレータを介した原料排出部と、前記粉砕室内に入れられた粉砕メディアと、前記粉砕タンクの原料供給部および前記粉砕室内に延びる水平回転駆動軸と、前記原料供給部内に配置され、前記水平回転駆動軸に取り付けられ、該水平回転駆動軸により回転駆動されて、前記原料投入部から前記原料供給部に投入された原料を前記粉砕室に供給する原料供給部材と、前記粉砕室内に配置され、前記水平回転駆動軸に取り付けられ、該水平回転駆動軸により回転駆動されて、前記原料供給部から供給された原料を、前記原料供給部から原料排出部に向けて連続的に搬送しつつ攪拌粉砕する攪拌部材とを備える横型乾式粉砕機において、
前記粉砕室内であって、前記攪拌部材の外側に、該攪拌部材による遠心力により内側から外側に向って移動する粉砕メディアを、外側から内側に向けるデフレクタを配した
ことを特徴とする横型乾式粉砕機。
（２）
前記デフレクタは、長さ方向に延び、回転方向に間隔を置いて配置された複数の開口が設けられ、これによって複数の板状部が形成された断面が多角形状または円形のデフレクタ支持部材と、該デフレクタ支持部材の外面に固定され、半径方向外方に立ち上がった複数のデフレクタ板とを備えている前記（１）に記載の横型乾式粉砕機。
（３）
前記デフレクタ板は、前記デフレクタ支持部材の回転軸を含む面上に延びている前記（２）に記載の横型乾式粉砕機。
（４）
前記デフレクタ板は、前記デフレクタ支持部材の回転軸を含む面から傾斜して直線状に延びている前記（２）に記載の横型乾式粉砕機。
（５）
前記デフレクタ板は、前記デフレクタ支持部材の中心軸に対して斜めに直線状に延びている前記（２）に記載の横型乾式粉砕機。
（６）
前記デフレクタ板は、前記デフレクタ支持部材の周りに螺旋状に延びている前記（２）に記載の横型乾式粉砕機。
（７）
前記デフレクタは、デフレクタ回転駆動軸により、前記攪拌部材と別駆動で、該攪拌部材と差動状態で回転駆動させられるようになっている前記（１）〜（６）のいずれかに記載の横型乾式粉砕機。
（８）
前記デフレクタの周速が、前記攪拌部材の周速より小さい前記（１）〜（７）のいずれかに記載の横型乾式粉砕機。
（９）
前記デフレクタの回転方向が、前記攪拌部材の回転方向の逆である前記（１）〜（８）のいずれかに記載の横型乾式粉砕機。
（１０）
前記デフレクタ板の外縁は、前記粉砕タンクの内周面に対して微小な間隔で配置され、前記粉砕タンクの内周面に付着したか、付着しようとする微細砕料を掻き出すための掻き出し部材として作用するようになっている前記（２）〜（６）のいずれかに記載の横型乾式粉砕機。
（１１）
前記微小な間隔が、０．２〜０．７ｍｍである前記（１０）に記載の横型乾式粉砕機。
（１２）
前記粉砕タンクの原料排出部に設けられた固定環状ディスクと、この固定環状ディスクの内側に、その外周部が前記固定環状ディスクの内周部と微小な間隔で配置され、前記デフレクタ回転駆動軸により回転駆動させられるようになっている回転ディスクとを備えたメディアセパレータを備えた前記（６）または（７）に記載の横型乾式粉砕機。
（１３）
前記微小な間隔が、用いる粉砕メディアの径の１／６〜１／２．５である前記（１０）に記載の横型乾式粉砕機。
（１４）
前記粉砕タンクの外周側には、該粉砕タンクと間隔をおいてジャケットが設けられており、このジャケット内を、粉砕タンク、粉砕室を冷却する冷却水か加熱する加熱水が流通するようになっている前記（１）〜（１３）のいずれかに記載の横型乾式粉砕機。
【発明の効果】
【０００７】
本発明の横型乾式粉砕機においては、前記したように、前記粉砕室内であって、前記攪拌部材の外側に、該攪拌部材による遠心力により内側から外側に向って移動する粉砕メディアを、外側から内側に向けるデフレクタを配したことにより、粉砕メディアの周方向への流れの方向を軸中心側に変換させ、これにより粉砕メディアの動きをダイナミックなものとすることにより、粉砕メディア同士の接触確率を増大させ、粉砕効率を向上させる。また、粉砕メディアの粉砕タンク内面への接触も極力抑えることができるので、無駄なエネルギー消費を抑えることができる。更にまた、粉砕されて微粉となった砕料の粉砕タンク内壁への付着を防止することにより、外側に設けた冷却用の外筒の冷却水との熱交換が良好で処理砕料の温度コントロールが容易で、異常発熱や付着による閉塞を防止することができる。この後者の効果は、前記デフレクタ板の外縁を、前記粉砕タンクの内周面に対して微小な間隔で配置し、前記粉砕タンクの内周面に付着したか、付着しようとする粉砕メディアを掻き出すための掻き出し部材として作用させるようにした場合、さらに助長される。
【０００８】
粉砕タンクの出口側に設けた回転型ギャップセパレータは、従来のスクリーン（ロストル）タイプに比べ、つまりにくく排出性が良好である。
【図面の簡単な説明】
【０００９】
【図１】本発明の実施態様による横型乾式粉砕機を示す長手方向断面図である。
【図２】図１の横型乾式粉砕機に用いられるデフレクタの斜視図である。
【図３】図１の横型乾式粉砕機に用いられるデフレクタの変形例を示す斜視図である。
【図４】図１の横型乾式粉砕機に用いられるデフレクタの他の変形例を示す斜視図である。
【図５】図１の横型乾式粉砕機における粉砕メディアの運動状態を説明する横方向断面図である。
【発明を実施するための形態】
【００１０】
以下、添付図面を参照しつつ、本発明の実施形態による横型乾式粉砕機について説明する。
図１は、本発明の実施形態による横型乾式粉砕機１０を示すものであり、この横型乾式粉砕機１０は、内部に粉砕室１２およびこの粉砕室１２に同心状で連続し、該粉砕室１２に原料を供給するための円筒状の原料供給部１３を有する横置き円筒形の粉砕タンク１４を有している。この粉砕タンク１４は、耐熱性材料であるアルミナ、アルミナジルコニアおよび窒化珪素等のセラミック製であることが好ましい。この粉砕タンク１４の一端（原料の流れで上流側−以下、全ての部材、部品にについて、この側を一端という）にはケーシング１６が、他端（原料の流れで下流側−以下、全ての部材、部品にについて、この側を他端という）にはメディアセパレータ１８、粉砕された製品を排出する排出ボックス２０がそれぞれ取り付けられている。また、上記粉砕タンク１４の一端の原料供給部１３には、図示したように原料投入ノズル２２が設けられている。
【００１１】
上記粉砕タンク１４内部には、上記ケーシング１６から原料供給部１３を介して粉砕室１２に水平に延びる回転駆動軸２４が延伸している。この回転駆動軸２４は、粉砕タンク１４と同軸に配置されている。上記原料供給部１３内において、回転駆動軸２４の一端側（原料投入ノズル２２の下方）には、原料投入ノズル２２から投入された原料である砕料に他端方向へ粉砕室１２方向への推力を与える機械的推力発生手段であるスクリュー２６が設けられている。回転駆動軸２４上のこのスクリュー２６より他端側すなわち粉砕室１２内には、攪拌部材２８を構成する攪拌要素である第１攪拌アーム３０と第２攪拌アーム３２が軸方向に間隔をおいて交互に配置されている。上記第１攪拌アーム３０は、回転駆動軸２４上に植設されたピン状部材である。また、上記第２攪拌アーム３２は、粉砕タンク１４の一端側に向かって徐々に小さくなるテーパー面３４と垂直面３６を有する略円錐台状のディスク３８と、その外周囲に設けられた突起４０とから形成されている。上記攪拌部材２８は、耐摩耗性材料であるジルコニア、窒化珪素およびアルミナ等のセラミック製であることが好ましい。
【００１２】
前記粉砕室１２内には、粉砕メディアＭが収容されており、この粉砕メディアＭは、直径数ｍｍ程度の粒状のものであって、粉砕室１２に粉砕室１２の容量の５０〜８０％程度充填されていることが好ましい。
【００１３】
この横型乾式粉砕機１０においては、図示したように、原料供給部１３の直径を粉砕室１２の直径より小さくするとともに、機械的推力発生手段であるスクリュー２６の直径もこれに応じた小さな直径とした。原料供給部１３の直径は、粉砕室１２の直径１／３〜１／２程度とすることが好ましい。原料供給部１３の直径を上記範囲を超えて小さくすると、粉砕室１２への砕料（原料）の供給が十分でなくなり、作業が効率的でなく、上記範囲を超えて大きくすると、スクリュー２６の直径も大きくなり、遠心力抑制の効果が十分でなくなる。
【００１４】
上記回転駆動軸２４は、軸受け（図示せず）によりケーシング１６に回転自在に支持され、図示されていない周知の駆動機構を介して駆動源に接続されており、回転駆動される。回転駆動軸２４は、上記の軸受けとスクリュー２６の間の部分でオイルシール４８等で軸シールされ、粉砕室１２内部を密閉状態に保っている。この回転駆動軸２４のオイルシール４８より粉砕室１２側の部分（オイルシールに隣接した部分）には、ランタンリング５０が設けられており、このランタンリング５０には、ガス導入通路５２が連通されている。このガス導入通路５２からは、エア等のガスが導入される。この導入されたガスは、ランタンリング５０を介して粉砕室１２内に流入するようになっており、原料がオイルシール４８内に侵入するのを防止している。また、このガスは、砕料（粉体）を流動化させ、流動性を向上させる役割も行う。
【００１５】
上記粉砕タンク１４の外周側には、該粉砕タンク１４と間隔をおいてジャケット５４が設けられており、このジャケット５４内を、粉砕タンク、粉砕室を冷却する冷却水が流通するようになっている。図において、符号５６は冷却水入口ノズル、符号５８は冷却水出口ノズルをそれぞれ示している。ジャケット５４内に供給する液体は、場合によっては、加熱水であってもよい。
【００１６】
前記粉砕室１２内であって、前記攪拌部材２８の外側に、該攪拌部材による遠心力により内側から外側に向って移動する粉砕メディアＭを、外側から内側に向けるデフレクタ６０が配されている。
【００１７】
前記デフレクタ６０は、図２に示したように、長さ方向に延び、回転方向に間隔を置いて配置された複数の開口６２が設けられ、これによって複数の板状部６４が形成された断面が円形のデフレクタ支持部材６６と、該デフレクタ支持部材６６の外面に固定され、半径方向外方に立ち上がった複数のデフレクタ板６８とを備えている。前記デフレクタ支持部材６６の断面は、３角形、４角形、６角形等の多角形であってもよい。
前記デフレクタ板６８は、前記板状部６４上であって、前記デフレクタ支持部材６６の回転軸を含む面上に延びている。
【００１８】
前記デフレクタ板６８は、あるいは、図３に示したように、前記デフレクタ支持部材６６の回転軸を含む面から傾斜して直線状に延びていてもよい。前記デフレクタ板６８は、前記デフレクタ支持部材６６の中心軸に対して斜めに直線状に延びていてもよい。
【００１９】
前記デフレクタ板６８は、あるいは、図４に示したように、前記デフレクタ支持部材６６の周りに螺旋状に延びていてもよい。
【００２０】
前記デフレクタ６０は、前記回転駆動軸２４とは反対側から延びるデフレクタ回転駆動軸７０により、前記攪拌部材２８と別駆動で、該攪拌部材２８と差動状態で回転駆動させられるようになっていることが好ましい。
前記デフレクタの周速は、前記攪拌部材の周速より小さく、かつ、前記デフレクタの回転方向は、前記攪拌部材の回転方向の逆であることが好ましい。デフレクタ板の移動方向が粉砕メディアＭの周方向での移動方向に対してカウンターになることで、デフレクタとしての機能をより効果的に発揮することができるようになる。
【００２１】
デフレクタは、上記したように回転する構造のものが好ましいが、上記したようなデフレクタ板を粉砕タンク１４の内周壁に固定した構造のものであってもよい。
【００２２】
前記デフレクタ板６８の外縁は、前記粉砕タンク１４の内周面に対して微小な間隔ｅ１で配置され、前記粉砕タンク１４の内周面に付着したか、付着しようとする微細砕料を掻き出すための掻き出し部材として作用するようになっていることが好ましい。
前記微小な間隔ｅ１は、０．２〜０．７ｍｍであることが好ましい。
【００２３】
前記メディアセパレータ１８は、前記粉砕タンク１４の原料排出部に設けられた固定環状ディスク７２と、この固定環状ディスク７２の内側に、その外周部が前記固定環状ディスク７２の内周部と微小な間隔ｅ２で配置され、前記デフレクタ回転駆動軸７０により回転駆動させられるようになっている回転ディスク７４とを備えた構造のものであることが好ましい。前記微小な間隔ｅ２は、用いる粉砕メディアの径の１／６〜１／２．５、特に１／６〜１／３であることが好ましい。
【００２４】
次に、以上の横型乾式粉砕機１０の作動について説明する。
まず、適当な定量フィーダー（図示せず）で原料供給ノズル２２に砕料を定量供給すると、この砕料は粉砕室１２内のスクリュー２６に落下し、このスクリュー２６により粉砕室１２の他端側に進められる。このとき、ガス導入通路５２からのガスによっても、砕料の推力が促進される。
原料は、粉砕室１２内部を他端に向かって搬送されながら、攪拌部材２８によって粉砕メディアＭと共に回転攪拌され、粉砕メディアＭ間で挟撃され、衝撃力や磨砕作用を受け、徐々に粉砕される。この粉砕時において、従来の横型乾式粉砕機においては、砕料と粉砕メディアＭは粉砕室１２の外周部分において周方向に移動する傾向があるが、本発明の横型乾式粉砕機１０においては、デフレクタ６０の主にデフレクタ板６４が周方向に移動しようとする粉砕メディアＭに作用して、砕料と粉砕メディアＭの流れを、中心方向に向く成分を有する流れｆに変え、粉砕メディアＭの粉砕室１２中心から外周方向、そして外周部から中心方向に向かう還流とする。この還流により、粉砕室内部での砕料の滞留時間が長くなり、十分な粉砕が行われる。また、特にこの還流により、粉砕メディアに大きな運動エネルギーが与えられ、粉砕メディア間の接触確率を増大させて、粉砕能力を大きくする。
十分に粉砕され、微細化された砕料は、メディアセパレータ１８により粉砕メディアＭと分離されて、メディアセパレータを通過し、排出ボックス２０内に製品として回収される。
【００２５】
なお、砕料（粉体）は、微細化されると凝集を生じ、粉砕タンク１４の内周面に付着堆積してしまうおそれがあるが、本発明の横型乾式粉砕機においては、前記デフレクタ板６４外縁が掻き取り手段の作用を行うので、この付着堆積を防止することが出来る。また、微細化されると凝集を生じ、攪拌部材の粉砕エネルギーを加えても小さくならず、逆に大きくなってしまうという問題が生ずることがある。この問題は、原料投入ノズル２２からアルコール等の粉砕助剤を加えることによって解消することができる。この粉砕助剤の投入は、前記付着堆積の問題の解決にもある程度作用する。
【００２６】
また、粉砕作業中は、上記ジャケット５４内に冷却水を流して、粉砕室１２内の温度を所定の温度に保つ。
【００２７】
以上説明した本発明の横型乾式粉砕機においては、該攪拌部材による遠心力により内側から外側に向って移動する粉砕メディアを、外側から内側に向けるデフレクタを配したことにより、粉砕メディアの周方向への流れの方向を軸中心側に変換させ、これにより粉砕メディアの動きをダイナミックなものとすることにより、粉砕メディア同士の接触確率を増大させ、粉砕効率を向上させる。また、粉砕メディアの粉砕タンク内面への接触も極力抑えることができるので、無駄なエネルギー消費を抑えることができる。更にまた、粉砕されて微粉となった砕料の粉砕タンク内壁への付着を防止することにより、外側に設けた冷却用の外筒の冷却水との熱交換が良好で処理砕料の温度コントロールが容易でし、異常発熱や閉塞を防止することができる。この後者の効果は、前記デフレクタ板の外縁を、前記粉砕タンクの内周面に対して微小な間隔で配置し、前記粉砕タンクの内周面に付着したか、付着しようとする粉砕メディアを掻き出すための掻き出し部材として作用させるようにした場合、さらに助長される。
また、本発明においては、メディアセパレータとして、回転型ギャップセパレータを採用したので、詰まりにくく微細化された砕料（商品）の排出性が良好である。
【符号の説明】
【００２８】
１０  横型乾式粉砕機
１２  粉砕室
１３  原料供給部
１４  粉砕タンク
１６  ケーシング
１８  メディアセパレータ
２０  排出ボックス
２２  原料投入ノズル
２４  回転駆動軸
２６  スクリュー
２８  攪拌部材
３０  第１攪拌アーム
３２  第２攪拌アーム
３４  テーパー面
３６  垂直面
３８  ディスク
４０  突起
４８  オイルシール
５０  ランタンリング
５２  ガス導入通路
５４  ジャケット
５６  冷却水入口ノズル
５８  冷却水出口ノズル
６０  デフレクタ
６２  開口
６４  板状部
６６  デフレクタ支持部材
６８  デフレクタ板
７０  デフレクタ回転駆動軸
７２  固定環状ディスク
７４  回転ディスク
【図１】
2015112549.tif 000003
【図２】
2015112549.tif 000004
【図３】
2015112549.tif 000005
【図４】
2015112549.tif 000006
【図５】
2015112549.tif 000007